(57)【要約】【課題】未使用或いは再利用可能なクリップ等の必要な小物と、再利用不可能なクリップや使用済みステープラ針等の不要な小物とを一つの本体で分別して収納することができ、しかも不要な小物の破棄を容易に行うことができる小物入れ並びにこの小物入れを備えた画像形成装置を提供する。【解決手段】上方に開放する収納空間１１を備えた本体１２と、収納空間１１の下方に配置された磁性体１３と、収納空間１１内で変位可能なスクレーパ部材１４とを備えている。【選択図】      図１
2007269324.tif 000002
【特許請求の範囲】
【請求項１】
上方に開放する収納空間を備えた本体と、前記収納空間の下方に配置された磁性体と、前記収納空間内で変位可能なスクレーパ部材とを備えていることを特徴とする小物入れ。
【請求項２】
前記スクレーパ部材は前記本体に設けられたガイドによって往復変位可能であることを特徴とする請求項１に記載の小物入れ。
【請求項３】
上方に開放する収納空間を備えた本体と、前記収納空間の下方に配置された磁性体と、前記本体に軸支され且つ前記収納空間の底面に一端が沿うように回転可能なスクレーパ部材とを備えていることを特徴とする小物入れ。
【請求項４】
前記スクレーパ部材は、常時は前記収納空間を分割すると共に、前記一端を前記底面に沿って回転させた際には前記収納空間の上方を閉成することを特徴とする請求項３に記載の小物入れ。
【請求項５】
前記スクレーパ部材の壁面には、該壁面に沿って進退動可能な払拭部材が設けられていることを特徴とする請求項３又は請求項４に記載の小物入れ。
【請求項６】
前記払拭部材は、常時は付勢部材の付勢によって前記スクレーパ部材の他端側に位置していることを特徴とする請求項５に記載の小物入れ。
【請求項７】
前記スクレーパ部材には磁性体が内蔵されていることを特徴とする請求項３乃至請求項６の何れかに記載の小物入れ。
【請求項８】
操作パネルに隣接する位置に小物入れ収納部が形成され、該小物入れ収納部に請求項１乃至請求項７の何れかに記載の小物入れが着脱可能に設けられていることを特徴とする画像形成装置。
【発明の詳細な説明】
【技術分野】
【０００１】
本発明は、小物入れ、特に、クリップや使用済みステープラ針を収納する小物入れ、及びこの小物入れを備えた画像形成装置に関する。
【背景技術】
【０００２】
従来、インサート成形や嵌め込みにより磁石等の磁性体を内蔵した本体に収納空間を形成し、この収納空間内にクリップ等を収納可能とした小物入れが周知である。
【０００３】
また、このような小物入れは、卓上等に載置して使用される他、画像形成装置等のように操作パネルに隣接する位置に設けているものも知られている（例えば、特許文献１参照）。
【０００４】
このような小物入れは、例えば、複写機やファクシミリなどの画像形成装置を使用するに際して、原稿をクリップ止めしていた場合、そのクリップを一時的に取り外して複写や送信のために原稿の読み取った後、再び原稿をクリップ止めする際の紛失防止用として用いている。また、複数のクリップを予め吸着させておき、複数部の複写原稿を部数毎にクリップ止めする場合のストック用として用いる場合もある。
【特許文献１】特開２００２−１６９６４９号公報
【発明の開示】
【発明が解決しようとする課題】
【０００５】
ところで、上記の如く構成された小物入れにあっては、主としてクリップを磁性体の磁力によって吸着することで散乱の防止或いは取り易さを実現するものである。
【０００６】
しかしながら、このような小物入れにあっては、例えば、クリップを原稿から取り外す際に、変に曲がってしまって再利用するには機能的に問題があるものや、原稿束を綴じていたステープル針の取り外し後の不要なものなどを同じ収納空間内に入れてしまうと、同一収納空間内に利用可能なクリップと不要なクリップやステープル針とが混在してしまい、使用勝手が悪くなるといった問題が生じていた。
【０００７】
また、特許文献１に開示のように、クリップ収納用の小物いれとは別に不要ステープル針等のごみ入れを設けた場合、その設置空間をクリップ用小物入れとは別に確保しなければならないといった問題が生じる。
【０００８】
そこで、クリップ収納用の小物入れとごみ入れとを隣接して一体化することも考えられるが、このように一体化してしまうと、ごみ入れ内の不要ステープル針もごみ入れ内にて磁性体により吸着されてしまっているため、ごみ捨てが面倒であるという新たな問題が発生する。
【０００９】
そこで、本発明は、上記事情を考慮し、必要な小物と不要な小物とを分別して収納することができ、しかも不要な小物の破棄を容易に行うことができる小物入れ並びにこのような小物入れを備えた画像形成装置を提供することを目的とする。
【課題を解決するための手段】
【００１０】
本発明の小物入れは、上方に開放する収納空間を備えた本体と、前記収納空間の下方に配置された磁性体と、前記収納空間内で変位可能なスクレーパ部材とを備えていることを特徴とする。
【００１１】
本発明の小物入れによれば、スクレーパ部材を隔壁として収納空間を分割することができ、よって必要な小物と不要な小物とを分別して収納することができるうえ、不要な小物の破棄を容易に行うことができる。この際、スクレーパ部材の収納空間内での位置はその変位可能であることによって任意とすることができるので、収納空間の分割によるスペースを変更することができる。
【００１２】
本発明の小物入れは、前記スクレーパ部材は前記本体に設けられたガイドによって往復変位可能であることを要旨とすることにより、予め定められた２方向での往復動でスクレーパ部材を変位させることができる。
【００１３】
上方に開放する収納空間を備えた本体と、前記収納空間の下方に配置された磁性体と、前記本体に軸支され且つ前記収納空間の底面に一端が沿うように回転可能なスクレーパ部材とを備えていることを特徴とする。
【００１４】
本発明の小物入れによれば、スクレーパ部材を隔壁として収納空間を分割することができ、よって必要な小物と不要な小物とを分別して収納することができるうえ、不要な小物の破棄を容易に行うことができる。
【００１５】
本発明の小物入れは、前記スクレーパ部材は、常時は前記収納空間を分割すると共に、前記一端を前記底面に沿って回転させた際には前記収納空間の上方を閉成することを要旨とすることにより、スクレーパ部材の一端を底面に沿って回転させた際に分割された一方の収納空間内の小物を破棄している最中に分割された他方の収納空間内の小物が収納空間から出てしまうことを防止することができる。
【００１６】
本発明の小物入れは、前記スクレーパ部材の壁面には、該壁面に沿って進退動可能な払拭部材が設けられていることを要旨とすることにより、一端が底面に沿うようにスクレーパ部材を回転させた際に、払拭部材によってスクレーパ部材の壁面に残存する小物を容易に破棄することができる。
【００１７】
本発明の小物入れは、前記払拭部材は常時は付勢部材の付勢によって前記スクレーパ部材の他端側に位置していることを要旨とすることにより、払拭部材をスクレーパ部材の一端側に変位させた後には、付勢部材の付勢によって払拭部材を自動的に元の位置に戻すことができる。
【００１８】
本発明の小物入れは、前記スクレーパ部材には磁性体が内蔵されていることを要旨とすることにより、スクレーパ部材での吸着作用を具備させることができ、収納容量を増大することができる。この際、払拭部材によってスクレーパ部材で吸着したものも容易に除去することができる。
【００１９】
本発明の画像形成装置は、操作パネルに隣接する位置に小物入れ収納部が形成され、該小物入れ収納部に請求項１乃至請求項６の何れかに記載の小物入れが着脱可能に設けられていることを要旨とすることにより、必要な小物と不要な小物とを分別して収納することができ、しかも不要な小物の破棄を容易に行うことができる小物入れを具備させることができる。
【発明の効果】
【００２０】
本発明の小物入れは、必要な小物と不要な小物とを分別して収納することができ、しかも不要な小物の破棄を容易に行うことができる。
【発明を実施するための最良の形態】
【００２１】
次に、本発明の一実施形態に係る小物入を画像形成装置用の小物入れに適用し、図面を参照して説明する。
【００２２】
図９は本発明の一実施形態における小物入れを設けた画像形成装置の斜視図である。
【００２３】
図９において、１は複写機・ファクシミリ・スキャナー・プリンタ或いはこれらを組み合わせた複合機といった画像形成装置である。
【００２４】
この画像形成装置１は、装置本体２の前面から引き出し可能な複数段の用紙トレイユニット３，４，５と、複写機・ファクシミリ・スキャナーとして原稿を読み取る際の自動原稿送り装置（ＡＤＦ）６と、表示画面７を有すると共に各種機能の設定・選択や複写枚数設定等を行う操作パネル８と、操作パネル８に隣接する本体パネル９に設けられた小物入れ１０とを備えている。尚、この画像形成装置１の形状や構成・機能（複写機機能やファクシミリ機能等）は図示例のものに限定されるものではない。また、例えば、ソーター等のオプション機能設置等の設置を妨げるものではない。
【００２５】
（実施例１）
図１は本発明の一実施形態に係る小物入れの斜視図、図２は本発明の一実施形態に係る小物入れの説明図である。
【００２６】
小物入れ１０は、図１及び図２に示すように、上方に開放する収納空間１１を備えた本体１２と、収納空間１１の下方に位置するように本体１２の内部に設けられた磁性体１３と、収納空間１１を複数に分割するスクレーパ部材１４とを備えている。
【００２７】
本体１２は、筐体状（六面体形状）の上面１２ａを皿状に凹陥させたもので、その上面１２ａの中央付近は平坦とされ且つその周囲は緩やかに傾斜されている。これにより、上面１２ａの上方に収納空間１１が形成される。
【００２８】
磁性体１３は、上面１２ａの裏面に位置しており、ここではその平坦な部分にのみ対応して設けられている。従って、磁性体１３の磁力は、上面１２ａの平坦な部分に対して吸着効力を有し、上面１２ａの緩やかに傾斜された周囲は、磁性体１３から高さ方向でも徐々に離間することと相俟って、その吸着効力は発揮されない設定となっている。
【００２９】
スクレーパ部材１４は、例えば、磁性体１３の磁力によって直接人為的な外力が及ばない限り本体１２を傾斜或いは反転させてもその位置を維持することができる程度に吸着されている。従って、上面１２ａに対するスクレーパ部材１４の位置は、人為的外力によって任意に設定することができ、スクレーパ部材１４を隔壁とする収納空間１１の分割容量を自由に設定・変更することができる。
【００３０】
尚、スクレーパ部材１４は、例えば、上面１２ａの傾斜した壁面にレールや溝を設け、このレールや溝にスクレーパ部材１４の両端を係合・保持させることによってスクレーパ部材１４を所定の二方向に往復動させる構成としても良い。
【００３１】
また、スクレーパ部材１４は、断面矩形等の鉄心や、底面に鉄心を設けて上面を樹脂で構成したもの、粉末状の磁性体材料或いは鉄粉を樹脂材料に混入して所定形状に形成したもの、鉄心の周囲を樹脂カバー等で覆ったものなど、その材質や形状等は限定されるものではない。
【００３２】
このような構成において、例えば、上面１２ａの中央付近にスクレーパ部材１４を位置させて収納空間１１を分割収納空間１１ａ，１１ｂとし、一方の分割収納空間１１ａは未使用或いは再利用可能なクリップＣを収納する空間とし、他方の分割収納空間１１ｂは再利用不可能なクリップＣ１、或いは、取り外したステープラ針Ｓの収納空間として利用する。
【００３３】
そして、分割収納空間１１ｂ側に再利用不可能なクリップＣ１や取り外したステープラ針Ｓがたまってしまった場合には、図２の一点鎖線で示すように、スクレーパ部材１４を上面１２ａに沿って分割収納空間１１ｂ側に変位させれば、上面１２ａの縁部へと再利用不可能なクリップＣ１や取り外したステープラ針Ｓを追いやることができ、そのままごみ箱等に廃棄処分することができる。
【００３４】
この際、本体１２を傾けても、分割収納空間１１ａ側に位置する未使用或いは再利用可能なクリップＣは、磁性体１３の磁力によって上面１２ａに吸着されているため、脱落してしまうことはない。
【００３５】
（実施例２）
図３は本発明の一実施形態に係る実施例２の小物入れの説明図、図４は本発明の一実施形態における実施例２の小物入れの動作説明図である。
【００３６】
上記実施例１では、比較的浅い収納空間１１に棒状のスクレーパ部材１４を変位可能としたのに対し、この実施例２では、容積を確保するために収納空間を深くしたものである。
【００３７】
図３において、小物入れ２０は、上方に開放する収納空間２１を備えた本体２２と、収納空間２１の下方に位置するように本体２２の内部に設けられた磁性体２３と、収納空間２１を複数に分割するスクレーパ部材２４とを備えている。
【００３８】
本体２２は、筐体状（六面体形状）の上面２２ａを円弧状に凹陥させたもので、その上面２２ａの上方に収納空間２１が形成される。これにより、上面２２ａは収納空間２１の底面となる。
【００３９】
磁性体２３は、上面２２ａの裏面に位置しており、ここではその円弧状の底部分にのみ対応して設けられている。従って、磁性体２３の磁力は、上面２２ａの底部分付近に対して吸着効力を有し、上面２２ａの緩やかに傾斜された周囲は、磁性体２３から高さ方向でも徐々に離間することと相俟って、その吸着効力は発揮されない設定となっている。尚、この磁性体２３は上面２２ａのある程度の高さにまで沿う円弧状としても良い。
【００４０】
スクレーパ部材２４は、軸２４ａを中心として回転可能となっており、その一端（図３の下端）２４ｂは上面２２ａに沿って回動変位する。また、その他端２４ｃは、例えば、図４に示すように、スクレーパ部材２４を回動させた際に収納空間２１の上方をスクレーパ部材２４の全体で覆う蓋体としての機能を果たすように延在されている。
【００４１】
このような構成において、例えば、スクレーパ部材２４で分割された一方を未使用或いは再利用可能なクリップを収納する分割収納空間２１ａとし、他方を再利用不可能なクリップ、或いは、取り外したステープラ針の分割収納空間２１ｂとして利用する。
【００４２】
そして、例えば、分割収納空間２１ｂ側に再利用不可能なクリップや取り外したステープラ針がたまってしまった場合には、スクレーパ部材２４の一端２４ｂを上面２２ａに沿って分割収納空間２１ｂ側に回動変位させれば、上面２２ａの縁部へと再利用不可能なクリップや取り外したステープラ針を追いやることができ、そのままごみ箱等に廃棄処分することができる。
【００４３】
この際、本体２２を傾けても、分割収納空間２１ａ側に位置する未使用或いは再利用可能なクリップは、磁性体２３の磁力によって吸着されており、スクレーパ部材２４が蓋体の機能を具備していることと相俟って、収納空間２１の内部から外部に出てしまうことはない。
【００４４】
（実施例３）
図５は本発明の一実施形態における実施例３の小物入れの説明図、図６は本発明の一実施形態における実施例３の小物入れの動作説明図である。
【００４５】
上記各実施例１，２では、スクレーパ部材１４，２４はスクレーパ機能のみを備えていたが、この実施例３では、吸着機能を具備したものである。
【００４６】
図５及び図６において、小物入れ３０は、上方に開放する収納空間３１を備えた本体３２と、収納空間３１の下方に位置するように本体３２の内部に設けられた磁性体３３と、収納空間３１を複数に分割するスクレーパ部材３４とを備えている。
【００４７】
本体３２は、筐体状（六面体形状）の上面３２ａを円弧状に凹陥させたもので、その上面３２ａの上方に収納空間３１が形成される。これにより、上面３２ａは収納空間３１の底面となる。
【００４８】
磁性体３３は、上面３２ａの裏面に位置しており、ここではその円弧状の底部分にのみ対応して設けられている。従って、磁性体３３の磁力は、上面３２ａの底部分付近に対して吸着効力を有し、上面３２ａの緩やかに傾斜された周囲は、磁性体３３から高さ方向でも徐々に離間することと相俟って、その吸着効力は発揮されない設定となっている。尚、この磁性体３３は上面３２ａのある程度の高さにまで沿う円弧状としても良い。
【００４９】
スクレーパ部材３４は、軸３４ａを中心として回転可能となっており、その一端（図５の下端）３４ｂは上面３２ａに沿って回動変位する。また、その他端３４ｃは、例えば、図６に示すように、スクレーパ部材３４を回動させた際に収納空間３１の上方をスクレーパ部材３４の全体で覆う蓋体としての機能を果たすように延在されている。また、スクレーパ部材３４の一面には、スクレーパ部材３４の回動変位に連動して一端３４ｂ側へと進退動する払拭部材３５が設けられている。さらに、スクレーパ部材３４の内部には磁性体３６が設けられている。
【００５０】
払拭部材３５は、常時は軸３４ａよりもスクレーパ部材３４の他端３４ｃ側に位置するようにスプリング等の付勢部材によって付勢されている。この際、払拭部材３５は、好ましくは磁性体３６よりも他端３４ｂ寄りに位置しているほうが好ましい。尚、払拭部材３５は、その材質は問わないが、金属等によって構成した場合には磁性体３６の磁力によってスクレーパ部材３４の任意の位置で吸着されるため、スプリング等の付勢手段は設けなくても良い。また、払拭部材３５は、例えば、軸３４ａに設けたギヤ（図示せず）とラック・ピニオン方式等で連動させ、スクレーパ部材３４の回動に連動して自動で進退動するように構成しても良い。
【００５１】
磁性体３６は、その磁力によってスクレーパ部材３４の壁面においてもクリップ等の吸着を可能としている。従って、磁性体３６は、一端３４ｂの近傍から収納空間３１の開放端付近（本実施例では開放端よりも上方）にまで延在して設けるのが好ましい。これによってスクレーパ部材３４によって分割した各分割収納空間３１ａ，３１ｂの吸着収納容積が拡大される。
【００５２】
このような構成において、例えば、スクレーパ部材３４で分割された一方を使用或いは再利用可能なクリップを収納する分割収納空間３１ａとし、他方を再利用不可能なクリップ、或いは、取り外したステープラ針を収納する分割収納空間３１ｂとして利用する。
【００５３】
そして、例えば、分割収納空間３１ｂ側に再利用不可能なクリップや取り外したステープラ針がたまってしまった場合には、スクレーパ部材３４の一端３４ｂを上面３２ａに沿って分割収納部３１ａ側に回動変位させれば、上面３２ａの縁部へと再利用不可能なクリップや取り外したステープラ針を追いやることができ、払拭部材３５を一端３４ｂ側に変位させることで、そのままごみ箱等に廃棄処分することができる。
【００５４】
この際、本体３２を傾けても、分割収納空間３１ｂ側に位置する未使用或いは再利用可能なクリップは、磁性体３３，３６の磁力によって吸着されており、スクレーパ部材３４が蓋体の機能を具備していることと相俟って、収納空間３１内から脱落してしまうことはない。
【００５５】
（実施例４）
図７は本発明の一実施形態における実施例４の小物入れの説明図、図８は本発明の一実施形態における実施例４の小物入れの動作説明図である。
【００５６】
上記実施例３では、一つの払拭部材３５を設けたものであるが、この実施例４ではスクレーパ部材４４を両用としたものである。
【００５７】
図７及び図８において、小物入れ４０は、上方に開放する収納空間４１を備えた本体４２と、収納空間４１の下方に位置するように本体４２の内部に設けられた磁性体４３と、収納空間４１を複数に分割するスクレーパ部材４４とを備えている。
【００５８】
本体４２は、筐体状（六面体形状）の上面４２ａを円弧状に凹陥させたもので、その上面４２ａの上方に収納空間４１が形成される。これにより、上面４２ａは収納空間４１の底面となる。
【００５９】
磁性体４３は、上面４２ａの裏面に位置しており、ここではその円弧状の底部分にのみ対応して設けられている。従って、磁性体４３の磁力は、上面４２ａの底部分付近に対して吸着効力を有し、上面４２ａの緩やかに傾斜された周囲は、磁性体４３から高さ方向でも徐々に離間することと相俟って、その吸着効力は発揮されない設定となっている。尚、この磁性体４３は上面４２ａのある程度の高さにまで沿う円弧状としても良い。
【００６０】
スクレーパ部材４４は、軸４４ａを中心として回転可能となっており、その一端（図７の下端）４４ｂは上面４２ａに沿って回動変位する。また、その他端４４ｃは、例えば、図８に示すように、スクレーパ部材４４を回動させた際に収納空間４１の上方をスクレーパ部材４４の全体で覆う蓋体としての機能を果たすように延在されている。また、スクレーパ部材４４の一面には、スクレーパ部材４４の回動変位に連動して一端４４ｂ側とこれとは逆方向へと背面進退動する払拭部材４５ａ，４５ｂが設けられている。さらに、スクレーパ部材４４の内部には磁性体４６が設けられている。
【００６１】
払拭部材４５ａ，４５ｂは、常時は軸４４ａよりもスクレーパ部材４４の他端４４ｃ側に位置するようにスプリング等の付勢部材によって付勢されている。この際、払拭部材４５は、好ましくは磁性体４６よりも他端４４ｃ寄りに位置しているほうが好ましい。尚、払拭部材４５ａ，４５ｂは、その材質は問わないが、金属等によって構成した場合には磁性体４６の磁力によってスクレーパ部材４４の任意の位置で吸着されるため、スプリング等の付勢手段は設けなくても良い。また、払拭部材４５ａ，４５ｂは、例えば、軸４４ａに設けたギヤ（図示せず）とラック・ピニオン方式等を利用した背面駆動方式で連動させ、スクレーパ部材４４の回動に連動して自動で互いに逆方向に進退動するように構成しても良い。
【００６２】
磁性体４６は、その磁力によってスクレーパ部材４４の壁面においてもクリップ等の吸着を可能としている。従って、磁性体４６は、一端４４ｂの近傍から収納空間４１の開放端付近（本実施例では開放端よりも上方）にまで延在して設けるのが好ましい。これによってスクレーパ部材４４によって分割した各分割収納空間４１ａ，４１ｂの吸着収納容積が拡大される。
【００６３】
このような構成において、例えば、スクレーパ部材４４で分割された一方を使用或いは再利用可能なクリップを収納する分割収納空間４１ａとし、他方を再利用不可能なクリップ、或いは、取り外したステープラ針を収納する分割収納空間４１ｂとして利用する。
【００６４】
そして、例えば、分割収納空間４１ｂ側に再利用不可能なクリップや取り外したステープラ針がたまってしまった場合には、スクレーパ部材４４の一端４４ｂを上面４２ａに沿って分割収納部４１ｂ側に回動変位させれば、上面４２ａの縁部へと再利用不可能なクリップや取り外したステープラ針を追いやることができ、払拭部材４５ｂを一端４４ｂ側に変位させることで、そのままごみ箱等に廃棄処分することができる。
【００６５】
この際、本体４２を傾けても、分割収納空間４１ｂ側に位置する未使用或いは再利用可能なクリップは、磁性体４３，４６の磁力によって吸着されており、スクレーパ部材４４が蓋体の機能を具備していることと相俟って、収納空間４１内から脱落してしまうことはない。
【００６６】
また、上記とは逆に例えば、分割収納空間４１ａ側に再利用不可能なクリップや取り外したステープラ針がたまってしまった場合には、スクレーパ部材４４の一端４４ｂを上面４２ａに沿って分割収納部４１ａ側に回動変位させれば、上面４２ａの縁部へと再利用不可能なクリップや取り外したステープラ針を追いやることができ、払拭部材４５ａを一端４５ｂ側に変位させることによって、そのままごみ箱等に廃棄処分することができる。
【図面の簡単な説明】
【００６７】
【図１】本発明の一実施形態に係る実施例１の小物入れの斜視図である。
【図２】本発明の一実施形態に係る実施例１の小物入れの説明図である。
【図３】本発明の一実施形態に係る実施例２の小物入れの説明図である。
【図４】本発明の一実施形態に係る実施例２の小物入れの動作説明図である。
【図５】本発明の一実施形態に係る実施例３の小物入れの説明図である。
【図６】本発明の一実施形態に係る実施例３の小物入れの動作説明図である。
【図７】本発明の一実施形態に係る実施例４の小物入れの説明図である。
【図８】本発明の一実施形態に係る実施例４の小物入れの動作説明図である。
【図９】本発明の一実施形態に係る小物入れを設けた画像形成装置の斜視図である。
【符号の説明】
【００６８】
１０…小物入れ
１１…収納空間
１１ａ…分割収納空間
１１ｂ…分割収納空間
１２…本体
１２ａ…上面
１３…磁性体
１４…スクレーパ部材
２０…小物入れ
２１…収納空間
２１ａ…分割収納空間
２１ｂ…分割収納空間
２２…本体
２２ａ…上面（底壁）
２３…磁性体
２４…スクレーパ部材
２４ａ…軸
２４ｂ…一端
２４ｃ…他端
３０…小物入れ
３１…収納空間
３１ａ…分割収納空間
３１ｂ…分割収納空間
３２…本体
３２ａ…上面（底壁）
３３…磁性体
３４…スクレーパ部材
３４ａ…軸
３４ｂ…一端
３４ｃ…他端
３５…払拭部材
３６…磁性体
４０…小物入れ
４１…収納空間
４１ａ…分割収納空間
４１ｂ…分割収納空間
４２…本体
４２ａ…上面（底壁）
４３…磁性体
４４…スクレーパ部材
４４ａ…軸
４４ｂ…一端
４４ｃ…他端
４５ａ…払拭部材
４５ｂ…払拭部材
４６…磁性体
【図１】
2007269324.tif 000003
【図２】
2007269324.tif 000004
【図３】
2007269324.tif 000005
【図４】
2007269324.tif 000006
【図５】
2007269324.tif 000007
【図６】
2007269324.tif 000008
【図７】
2007269324.tif 000009
【図８】
2007269324.tif 000010
【図９】
2007269324.tif 000011